(57)【要約】【課題】逆流防止弁の閉鎖タイミングをより正確に検出し、成形品の良否判別や成形条件の調整がより正確にできるようにする。【解決手段】計量工程完了後、スクリューを前進させると、スクリュー先端の逆流防止弁が開いた状態で移動することになる。樹脂の射出方向とは逆に樹脂は逆流する。樹脂の逆流によりスクリューには回転力が加えられ、スクリューにかかる回転方向の負荷は増大する。逆流防止弁が樹脂通路を閉鎖するとスクリューにかかる回転力は減少する。このスクリュー回転力のピーク時点を逆流防止弁の閉鎖時点として検出する。回転力のピーク時点における、回転力、スクリュー位置等の物理量を検出する。逆流防止弁の閉鎖時点が正確に検出されるから、射出保圧切換位置や射出速度切換位置の補正がより正確に調整できる。また、検出物理量に基づいて成形品の良否判別を正確に行うことができる。【選択図】図５
2008155379.tif 000002
【特許請求の範囲】
【請求項１】
逆流防止弁を備えるスクリューと、
該スクリューを回転駆動する回転駆動手段と、
前記スクリューをスクリュー軸方向に駆動する軸方向駆動手段と、
前記スクリューに作用する回転力を検出する回転力検出手段とを備えた射出成形機において、
前記軸方向駆動手段でスクリューを射出方向に前進移動させる際に、前記スクリューに作用する回転力を前記回転力検出手段で検出し、該検出した回転力がピークとなる時点を前記逆流防止弁の閉鎖時点として検出する回転力ピーク時点検出手段を備えたことを特徴とする射出成形機。
【請求項２】
前記回転力ピーク時点検出手段による前記逆流防止弁の閉鎖時点の検出は、射出保圧工程におけるスクリューの前進移動において行なうことを特徴とする請求項１に記載の射出成形機。
【請求項３】
前記回転力ピーク時点検出手段による前記逆流防止弁の閉鎖時点の検出は、計量工程完了から射出工程開始までの間に行なうスクリューの前進移動において行うことを特徴とする請求項１に記載の射出成形機。
【請求項４】
前記回転力ピーク時点検出手段による前記逆流防止弁の閉鎖時点の検出は、射出保圧工程、及び計量工程完了から射出工程開始までの間に行なうスクリューの前進移動において行い、射出保圧工程において、前記回転力にピークが検出されないときに、計量工程完了から射出工程開始までの間に行なうスクリューの前進移動で検出された回転力がピークとなった時点を前記逆流防止弁の閉鎖時点とする請求項１に記載の射出成形機。
【請求項５】
前記回転力ピーク時点検出手段で検出される前記逆流防止弁の閉鎖時点において、射出成形に係る物理量を検出する物理量検出手段を設け、該物理量検出手段で検出された物理量と予め定めた許容範囲と比較し、前記検出される物理量が前記許容範囲内にあるときは、成形品を良品であると判別する第１の判別手段を備えることを特徴とする請求項１乃至４の内いずれか１項に記載の射出成形機。
【請求項６】
前記物理量検出手段で前記逆流防止弁の閉鎖時点において検出される物理量は、
スクリュー位置、
スクリュー前進開始時点から前記逆流防止弁の閉鎖時点までのスクリューの移動距離、
スクリュー前進開始時点から前記逆流防止弁の閉鎖時点までの経過時間、
溶融樹脂圧力、
スクリューの移動速度、
前記回転力検出手段で検出される回転力、
スクリュー前進開始時点から前記逆流防止弁の閉鎖時点までの前記回転力の時間積分値、
スクリュー前進開始時点から前記逆流防止弁の閉鎖時点まで前記回転力をスクリュー位置に関して積分した値、
のうちの１または２以上の物理量であることを特徴とする請求項５に記載の射出成形機。
【請求項７】
前記スクリューのスクリュー軸方向の位置を検出する位置検出手段を備え、該位置検出手段で検出した前記逆流防止弁の閉鎖時点において検出されるスクリュー位置と予め定めた時点におけるスクリュー位置との差を求め、該差を予め定めた許容範囲と比較し、前記差が前記許容範囲内にあるときは、成形品を良品であると判別する第２の判別手段を備えることを特徴とする請求項１乃至４の内いずれか１項に記載の射出成形機。
【請求項８】
前記予め定めた時点は、
保圧完了時点、
射出工程から保圧工程への切換時点、
射出保圧工程においてスクリューが最も前進した時点、
のうちの１または２以上の時点であることを特徴とする請求項７に記載の射出成形機。
【請求項９】
前記スクリューのスクリュー軸方向の位置を検出する位置検出手段と、
該位置検出手段により前記逆流防止弁の閉鎖時点において検出されるスクリュー位置を基準スクリュー位置として記憶する手段と、
溶融樹脂圧力を検出する圧力検出手段とを備え、
該基準スクリュー位置を記憶した成形サイクル以降の成形サイクルにおいて、前記スクリュー前進中にスクリューが前記基準スクリュー位置に到達した時の前記圧力検出手段で検出した溶融樹脂圧力を、予め定めた許容範囲と比較し、前記溶融樹脂圧力が前記許容範囲内にあるときは成形品を良品であると判別する第３の判別手段を備えることを特徴とする請求項１乃至４の内いずれか１項に記載の射出成形機。
【請求項１０】
前記逆流防止弁の閉鎖時点におけるスクリュー前進開始時点からの経過時間を計測する経過時間計測手段と、
該経過時間計測手段で計測された経過時間を基準スクリュー前進経過時間として記憶する手段と、
溶融樹脂圧力を検出する圧力検出手段とを備え、
該基準スクリュー前進経過時間を記憶した成形サイクル以降の成形サイクルにおいて、前記スクリュー前進中にスクリュー前進開始時点からの経過時間が前記基準スクリュー前進経過時間となった時に、前記圧力検出手段で検出される溶融樹脂圧力と予め定めた許容範囲と比較し、前記検出溶融樹脂圧力が前記許容範囲内にあるときは成形品を良品であると判別する第４の判別手段を備えることを特徴とする請求項１乃至４の内いずれか１項に記載の射出成形機。
【請求項１１】
前記スクリューのスクリュー軸方向の位置を検出する位置検出手段を備えると共に、
射出工程から保圧工程への切換を行なうためのスクリュー位置を設定する射出保圧切換位置設定手段と、
前記射出保圧切換位置を補正するための基準逆流防止弁閉鎖位置を設定する基準逆流防止弁閉鎖位置設定手段と、
前記逆流防止弁の閉鎖時点においてスクリュー位置を検出し、該検出位置と前記基準逆流防止弁閉鎖位置との差を求め、該差に基づいて前記射出保圧切換位置を補正する射出保圧切換位置補正手段とを備えることを特徴とする請求項１乃至１０の内いずれか１項に記載の射出成形機。
【請求項１２】
前記スクリューのスクリュー軸方向の位置を検出する位置検出手段を備えると共に、
射出工程において射出速度を切換えるためのスクリュー位置を設定する射出速度切換位置設定手段を備えると共に、
前記射出速度切換位置を補正するための基準射出速度切換位置を設定する基準射出速度切換位置設定手段と、
前記逆流防止弁の閉鎖時点においてスクリュー位置を検出し、該検出位置と前記基準射出速度切換位置との差を求め、該差に基づいて前記射出速度切換位置を補正する射出速度切換位置補正手段とを備えることを特徴とする請求項１乃至１１の内いずれか１項に記載の射出成形機。
【請求項１３】
前記射出保圧切換位置はスクリュー前進開始時点におけるスクリュー位置からの相対距離で設定されていることを特徴とする請求項１１に記載の射出成形機。
【請求項１４】
前記基準射出保圧切換位置はスクリュー前進開始時点におけるスクリュー位置からの相対距離で設定され、前記逆流防止弁の閉鎖時点において検出されるスクリュー位置はスクリュー前進開始時点におけるスクリュー位置からの相対距離として検出されることを特徴とする請求項１１又は請求項１３に記載の射出成形機。
【請求項１５】
前記射出速度切換位置はスクリュー前進開始時点におけるスクリュー位置からの相対距離で設定されていることを特徴とする請求項１２に記載の射出成形機。
【請求項１６】
前記基準射出速度切換位置はスクリュー前進開始時点におけるスクリュー位置からの相対距離で設定され、前記逆流防止弁の閉鎖時点において検出されるスクリュー位置はスクリュー前進射出開始時点におけるスクリュー位置からの相対距離として検出されることを特徴とする請求項１２又は請求項１５に記載の射出成形機。
【発明の詳細な説明】
【技術分野】
【０００１】
本発明は、スクリューに逆流防止弁を有する射出成形機に関する。
【背景技術】
【０００２】
インラインスクリュー式の射出成形機のように、射出時の樹脂の逆流を防止するためにスクリュー先端に逆流防止弁機構を備えた射出機構を有する射出成形機は、従来から使用されている。図１は、この逆流防止弁機構の一例である。スクリュー１の先端に設けられたスクリューヘッド２とスクリュー１の本体部分間に設けられた縮径された部分に、スクリュー軸方向に移動可能に逆流防止弁３が配置され、この縮径された部分のスクリュー１の本体側には、この逆流防止弁３と当接密着し、樹脂通路を閉鎖するチェックシート４を備える。
【０００３】
スクリュー１の後方から供給される樹脂ペレットはスクリュー１が回転することで発生するせん断熱と、スクリュー１が挿入されているシリンダ外側に設けられたヒータからの熱により溶融される。溶融された樹脂は逆流防止弁３の後方の樹脂圧力を上昇させ、逆流防止弁３を前方に押す力を発生させる。逆流防止弁３が前方に押されると、後方の樹脂が逆流防止弁３と縮径された部分の間隙を通り逆流防止弁３の前方に流れ込みスクリューヘッド２前方のシリンダ内の圧力を上昇させる。
【０００４】
逆流防止弁３の前方の圧力が所定の圧力（背圧）を超えるとスクリュー１が後方に押されて、逆流防止弁３の前方の圧力が減圧される。更にスクリュー１が回転することで逆流防止弁３の後方の圧力が逆流防止弁３の前方の圧力よりも高くなるので、継続して溶融された樹脂が逆流防止弁３の前方に送り込まれ、所定の量までスクリュー１が後退するとスクリュー回転を停止させる（計量工程）。
【０００５】
次に射出工程に入るが、樹脂を充填するためにスクリュー１が前進すると、スクリューヘッド２の前方にたまった樹脂圧力が上昇するので、逆流防止弁３が後退しチェックシート４と密着して樹脂通路を閉鎖し、充填圧により溶融樹脂がスクリュー後退方向に逆流することを防止する。逆流防止弁３が後退し樹脂通路を閉鎖するタイミングが変動すると、充填される樹脂の量も変動し、成形が不安定になる。
【０００６】
射出時の逆流防止弁機構はスクリュー１の前進により逆流防止弁３の前方の圧力が後方の圧力よりも高くなることで閉鎖されるが、射出直前の逆流防止弁機構の後方はフライト５間の溝部６に残圧があり、この残圧の影響で閉鎖タイミングが変動するという問題がある。射出開始から逆流防止弁閉鎖までの間には逆流防止弁前方から後方に向かって樹脂の逆流が生じるため、この閉鎖タイミングの変動によって、サイクル毎の射出体積に変動が生じ、成形される成形品の品質に影響を与える。従って、逆流防止弁３が毎サイクル安定したタイミングで閉鎖できるような手段が考察されていると共に、実際に逆流防止弁３が閉鎖したタイミングを監視する方法が提案されている。
【０００７】
例えば、逆流防止弁よりも後方の位置にシリンダ内の樹脂圧力を検出する圧力センサを設け、スクリュー前進中、該圧力センサで検出される圧力変化を元に逆流防止弁の閉鎖を検出し、該検出した逆流防止弁閉鎖位置に基づいて、成形品の良否判別、成形条件の調整を行う発明が知られている（特許文献１、２参照）。
【０００８】
また、逆流防止弁のリングバルブより後方に該リングバルブと対向するように導電性部材を配置し、リングバルブと導電性部材との間の静電容量を検出することによって、リングバルブの位置、すなわち該リングバルブによる樹脂流路閉鎖時を検出するものが知られている（特許文献３参照）。  
又、特許文献４は、射出中の逆流防止弁の閉鎖タイミングを検出しているものではないが、射出時にスクリューに作用する回転トルクを検出し、この検出トルクによって逆流防止弁の破損等の異常を検出するものが知られている。
【０００９】
さらに、スクリューを回転自在にして射出を開始すると、樹脂が逆流してスクリューを回転させるが、逆流防止弁が閉鎖し、樹脂の逆流が停止するとスクリューの回転が停止することを利用して、このスクリュー回転停止を逆流防止弁の閉鎖タイミングとして検出し、さらに、この検出した逆流防止弁閉鎖位置に基づいて射出速度切り換え位置や保圧への切換位置を補正するようにした発明も知られている（特許文献５参照）。
【００１０】
又、計量終了後にスクリューを逆回転させることによって、メータリング部とスクリューヘッド前方とを遮断する逆流防止機構を設けて、計量終了後、スクリューを逆回転させて、逆流防止機構によりメータリング部とスクリューヘッド前方とを遮断し、その後射出を開始するようにし、この射出時のストローク位置や量に基づいて成形品の良否判別を行うようにした発明も知られている（特許文献６参照）。
【００１１】
【特許文献１】特開平４−５３７２０号公報
【特許文献２】特開平４−２０１２２５号公報
【特許文献３】特開平３−９２３２１号公報
【特許文献４】特開平１−１６８４２１号公報
【特許文献５】特開２００４−２１６８０８号公報
【特許文献６】特開２００６−６９２１９号公報
【発明の開示】
【発明が解決しようとする課題】
【００１２】
上述した特許文献１、２に記載された発明では、シリンダ内の圧力変化を検出して逆流防止弁の閉鎖を検出するものであり、この方法は、逆流防止弁後方に圧力センサを追加する必要がある。シリンダの先端から少なくとも最大射出ストローク以上の距離を離して圧力センサを配置する必要がある。このため射出ストロークの大小によって逆流防止弁と圧力センサとの距離には差が生じ、検出精度に差がでる。また、シリンダの内壁面は樹脂滞留によって炭化物などを生じないように段差部がなく滑らかな流路を形成していることが望ましいが、直接樹脂に接触する圧力センサを取り付けるとシリンダ内壁面に微小な段差部が生じることは不可避であり、樹脂滞留による炭化物が成形品へ混入するなどの悪影響が避けられない。また、樹脂には直接接触せず間接的にシリンダの歪みを検出することで樹脂の圧力を検出する方式の圧力センサでは、検出精度が犠牲になってしまう。さらに、いかなる方式の圧力センサも高価なうえに取扱いが煩雑で、定期的なメンテナンスや校正を必要とするものが多いなどの問題がある。
【００１３】
又、上述した特許文献３に記載された発明のように静電容量を検出して、リングバルブの閉鎖タイミングを検出する方式では、静電容量を検出するための導電性部材をスクリューに配置し、スクリューの中心には、配線を通すための穴を加工し、さらに、測定信号を取り出すためのスリップリングをスクリューに配置する等の静電容量を測定するための手段を付加しなければならず、構成が複雑となるという欠点がある。
【００１４】
又、特許文献５に記載された発明では、射出中に回転自在にしたスクリューの回転が停止したことを検出して逆流防止弁の閉鎖を検知している。これは、図２に示すように、逆流が生じたとき、この逆流した樹脂によって、スクリュー１のフライト５には力Ｆが働く。通常の成形機では樹脂圧力を検出するためのセンサがスクリュー後方（図においてスクリューの右方向）に位置するが、このセンサで検出するのは、スクリューに対してスクリューの軸方向にかかる圧力を検出するものであることから、スクリューヘッドの前方の樹脂圧もかかり逆流した樹脂がフライトに作用する力の軸方向の力Ｆｘを検出することは難しい。
【００１５】
特許文献５に記載された発明は、逆流した樹脂がフライトに作用する力のスクリュー回転方向の分力Ｆθに着目して、射出中に回転自在にしたスクリューの回転が停止したことを検出して逆流防止弁の閉鎖を検知するものである。
【００１６】
ところが、回転自在にしたスクリューが逆流樹脂によって回転させられる場合、逆流量が小さい間は逆流樹脂によるスクリューを回転させる力がスクリューのシリンダに対する最大静止摩擦力の範囲内にあるため、スクリューは回転しない。そして、逆流量が増加してスクリューを回転させる力が最大静止摩擦力を超えるとスクリューは回転を始める。一旦スクリューが回転を始めると、動摩擦域に移行するため、逆流樹脂によるスクリューを回転させる力が最大静止摩擦力を下回っても、スクリューを回転させる力が動摩擦力以上であればスクリューは回転を続ける。そのため、逆流樹脂によるスクリューを回転させる力が動摩擦力以上で最大静止摩擦力以下の場合は、既にスクリューの回転が停止していた場合には停止状態が継続し、既にスクリューが回転していた場合には回転状態が継続することになる。このように、逆流量の大きさとスクリューの回転量の大きさとの間には必ずしも線形の関係があるとは言えない。そのため、特許文献５に記載の発明のようなスクリューの回転量から逆流防止弁の閉鎖を検知する方法の場合、閉鎖タイミングの検出に誤差を含む可能性がある。
【００１７】
また、特許文献５に記載の発明では、スクリューの回転が停止したことを検出しているが、回転の停止を検出するためには、何らかの閾値を定める必要がある。スクリューの回転は徐々に停止する場合も、急速に停止する場合もあり、このような種々の状況に対応して回転の停止を正確に検出するためには、閾値を適切に設定する必要がある。しかし、適切な閾値を求めるには、工数が必要になるし、成形の状況が変化した場合には、閾値の再調整を余儀なくされる場合もある。
【００１８】
又、特許文献６に記載の発明では、計量終了後にスクリューを逆回転させてメータリング部とスクリューヘッドとを遮断する方式の逆流防止機構を必要とし、一般的な逆流防止機構を有する成形機には適用できないという問題がある。
【００１９】
そこで、本発明の目的は、特別な機構を用いることなく、逆流防止弁の閉鎖タイミングをより正確に検出できるようにすることにある。さらにこの検出した閉鎖タイミングに基づいて成形品の良否判別や成形条件の調整ができるようにする点にある。
【課題を解決するための手段】
【００２０】
本願請求項１に係る発明は、逆流防止弁を備えるスクリューと、該スクリューを回転駆動する回転駆動手段と、前記スクリューをスクリュー軸方向に駆動する軸方向駆動手段と、前記スクリューに作用する回転力を検出する回転力検出手段とを備えた射出成形機において、前記軸方向駆動手段でスクリューを射出方向に前進移動させる際に、前記スクリューに作用する回転力を前記回転力検出手段で検出し、該検出した回転力がピークとなる時点を前記逆流防止弁の閉鎖時点として検出する回転力ピーク時点検出手段を備え、逆流防止弁の閉鎖時点を正確に検出できることに特徴を有するものである。
【００２１】
請求項２に係る発明は、前記回転力ピーク時点検出手段による前記逆流防止弁の閉鎖時点の検出を、射出保圧工程におけるスクリューの前進移動において行なうものとし、請求項３に係る発明は、前記回転力ピーク時点検出手段による前記逆流防止弁の閉鎖時点の検出を、計量工程完了から射出工程開始までの間に行なうスクリューの前進移動において行うものとした。また、請求項４に係る発明は、前記回転力ピーク時点検出手段による前記逆流防止弁の閉鎖時点の検出を、射出保圧工程、及び計量工程完了から射出工程開始までの間に行なうスクリューの前進移動において行い、射出保圧工程において、前記回転力にピークが検出されないときに、計量工程完了から射出工程開始までの間に行なうスクリューの前進移動で検出された回転力がピークとなった時点を前記逆流防止弁の閉鎖時点とした。
【００２２】
請求項５に係る発明は、回転力ピーク時点検出手段で検出される前記逆流防止弁の閉鎖時点において、射出成形に係る物理量を検出する物理量検出手段を設け、該物理量検出手段で検出された物理量と予め定めた許容範囲と比較し、前記検出される物理量が前記許容範囲内にあるときは、成形品を良品であると判別する第１の判別手段を備え、逆流防止弁の閉鎖時点における検出物理量に基づいて、成形品の良品判別を行うようにした。また、請求項６に係る発明は、請求項５に係る発明における、前記物理量検出手段で前記逆流防止弁の閉鎖時点において検出される物理量を、スクリュー位置、スクリュー前進開始時点から前記逆流防止弁の閉鎖時点までのスクリューの移動距離、スクリュー前進開始時点から前記逆流防止弁の閉鎖時点までの経過時間、溶融樹脂圧力、スクリューの移動速度、回転力検出手段で検出される回転力、スクリュー前進開始時点から前記逆流防止弁の閉鎖時点までの前記回転力の時間積分値、スクリュー前進開始時点から前記逆流防止弁の閉鎖時点まで前記回転力をスクリュー位置に関して積分した値、のうちの１または２以上の物理量とした。
【００２３】
請求項７に係る発明は、請求項１乃至４に係る発明において、さらに、前記スクリューのスクリュー軸方向の位置を検出する位置検出手段を備え、該位置検出手段で検出した前記逆流防止弁の閉鎖時点において検出されるスクリュー位置と予め定めた時点におけるスクリュー位置との差を求め、該差を予め定めた許容範囲と比較し、前記差が前記許容範囲内にあるときは、成形品を良品であると判別する第２の判別手段を備えるものとした。請求項８に係る発明は、前記予め定めた時点を、保圧完了時点、射出工程から保圧工程への切換時点、射出保圧工程においてスクリューが最も前進した時点のうちの１または２以上の時点とした。
【００２４】
請求項９に係る発明は、請求項１乃至４に係る発明において、さらに、前記スクリューのスクリュー軸方向の位置を検出する位置検出手段と、該位置検出手段により前記逆流防止弁の閉鎖時点において検出されるスクリュー位置を基準スクリュー位置として記憶する手段と、溶融樹脂圧力を検出する圧力検出手段とを備え、該基準スクリュー位置を記憶した成形サイクル以降の成形サイクルにおいて、前記スクリュー前進中にスクリューが前記基準スクリュー位置に到達した時の前記圧力検出手段で検出した溶融樹脂圧力を、予め定めた許容範囲と比較し、前記溶融樹脂圧力が前記許容範囲内にあるときは成形品を良品であると判別する第３の判別手段を備えるものとした。
【００２５】
請求項１０に係る発明は、請求項１乃至４に係る発明において、前記逆流防止弁の閉鎖時点におけるスクリュー前進開始時点からの経過時間を計測する経過時間計測手段と、該経過時間計測手段で計測された経過時間を基準スクリュー前進経過時間として記憶する手段と、溶融樹脂圧力を検出する圧力検出手段とを備え、該基準スクリュー前進経過時間を記憶した成形サイクル以降の成形サイクルにおいて、前記スクリュー前進中にスクリュー前進開始時点からの経過時間が前記基準スクリュー前進経過時間となった時に、前記圧力検出手段で検出される溶融樹脂圧力と予め定めた許容範囲と比較し、前記検出溶融樹脂圧力が前記許容範囲内にあるときは成形品を良品であると判別する第４の判別手段を備えるものとした。
【００２６】
請求項１１に係る発明は、請求項１乃至１０に係る発明において、前記スクリューのスクリュー軸方向の位置を検出する位置検出手段を備えると共に、射出工程から保圧工程への切換を行なうためのスクリュー位置を設定する射出保圧切換位置設定手段と、前記射出保圧切換位置を補正するための基準逆流防止弁閉鎖位置を設定する基準逆流防止弁閉鎖位置設定手段と、前記逆流防止弁の閉鎖時点においてスクリュー位置を検出し、該検出位置と前記基準逆流防止弁閉鎖位置との差を求め、該差に基づいて前記射出保圧切換位置を補正する射出保圧切換位置補正手段とを備えるものとした。
【００２７】
請求項１２に係る発明は、請求項１乃至１１に係る発明において、前記スクリューのスクリュー軸方向の位置を検出する位置検出手段を備えると共に、射出工程において射出速度を切換えるためのスクリュー位置を設定する射出速度切換位置設定手段を備えると共に、前記射出速度切換位置を補正するための基準射出速度切換位置を設定する基準射出速度切換位置設定手段と、前記逆流防止弁の閉鎖時点においてスクリュー位置を検出し、該検出位置と前記基準射出速度切換位置との差を求め、該差に基づいて前記射出速度切換位置を補正する射出速度切換位置補正手段とを備えるものとした。
【００２８】
請求項１３に係る発明は、前記射出保圧切換位置を、スクリュー位置の代わりに、スクリュー前進開始時点におけるスクリュー位置からの相対距離で設定されているものとした。  
また、請求項１４に係る発明は、請求項１１又は請求項１３に係る発明において、前記基準射出保圧切換位置はスクリュー前進開始時点におけるスクリュー位置からの相対距離で設定され、前記逆流防止弁の閉鎖時点において検出されるスクリュー位置はスクリュー前進開始時点におけるスクリュー位置からの相対距離として検出されるものとした。さらに、請求項１５に係る発明は、請求項１２に係る発明において、前記射出速度切換位置はスクリュー前進開始時点におけるスクリュー位置からの相対距離で設定されているものとした。また、請求項１６に係る発明は、請求項１２又は請求項１５に係る発明において、前記基準射出速度切換位置をスクリュー前進開始時点におけるスクリュー位置からの相対距離で設定し、前記逆流防止弁の閉鎖時点において検出されるスクリュー位置をスクリュー前進射出開始時点におけるスクリュー位置からの相対距離として検出するものとした。
【発明の効果】
【００２９】
本発明は、逆流防止弁の閉鎖時点をより正確に検出することができるから、この検出した逆流防止弁の閉鎖時点の各種物理量によって、射出保圧切換位置や射出速度の切り換え位置等の成形条件の調整が容易にかつより正確にできる。また、逆流防止弁の閉鎖時点の各種物理量に基づいて、成形品の良否判別をより正確に行うことができる。
【発明を実施するための最良の形態】
【００３０】
まず、計量工程終了から、射出工程までのスクリューの動作、逆流防止弁の動きについて説明する。  
図３は、計量工程終了後、射出工程を実行する方式の動作の説明図である。  
図３（ａ）は、計量工程終了時のスクリュー位置、逆流防止弁機構の状態を示すもので、スクリューヘッド２の先端のシリンダ７内には溶融樹脂が貯えられており、スクリュー１は後退位置にある。計量工程では、スクリュー１の回転によって溶融された樹脂が逆流防止弁３の後方の樹脂圧力を上昇させ、逆流防止弁３を前方に押す力を発生させ、逆流防止弁３が前方に押し出されると、溶融樹脂は逆流防止弁３とスクリュー１の縮径された部分の間隙を通り逆流防止弁３の前方に流れ込む。計量工程が終了した段階では、逆流防止弁３は図３（ａ）に示すように、前方に位置し、逆流防止弁３を開き、溶融樹脂の通路を解放している。なお、スクリューヘッド２の先端のシリンダ７内の溶融樹脂の圧力と、スクリュー１のフライト５間の溝部６に残存する樹脂の圧力との差が小さいことより、逆流防止弁機構の逆流防止弁３は不安定な状態にある。このような状態からスクリュー１を前進させて射出を行うと、前記圧力差等に応じて逆流防止弁３の閉鎖のタイミングが変動する。
【００３１】
図３（ｂ）は、計量完了後にスクリューを所定量後退させるサックバック終了後の状態を示しており、このサックバック処理により、スクリューヘッド２の先端のシリンダ７内の溶融樹脂の圧力が低下することにより、逆流防止弁３は開いた状態を保持したままである。
【００３２】
図３（ｃ）は、射出が開始され、逆流防止弁３が閉じたタイミングの状態を表す図であり、図３（ｂ）〜図３（ｃ）までの間が、樹脂が逆流する区間で、射出開始から、逆流防止弁３が閉じるまでのスクリュー移動距離ｄを表す。すなわち、図３（ｂ）のサックバックが終わった状態から、スクリュー１を前進させて射出を行うと、充填圧により逆流防止弁機構の前方の圧力が後方のフライト５間の溝部６に存在する樹脂の圧力よりも高くなった段階で、逆流防止弁３が後方に移動しチェックシート４と密着して逆流防止弁３が閉じ、樹脂通路が閉鎖される。  
図３（ｄ）は、さらにスクリューが前進し射出・保圧切り換え位置に達したときの状態を表す。
【００３３】
図４は、計量工程と射出工程の間に逆流防止弁３を閉鎖するためのスクリュー前進工程を設けた成形動作の説明図である。  
図４（ａ）は、計量工程終了時のスクリュー位置、逆流防止弁機構の状態を示す。この時の状態は、図３（ａ）と同じ状態である。
図４（ｂ）は、計量完了後・射出開始前のスクリュー前進工程で、スクリューを前進させ逆流防止弁３が閉鎖した時点の状態を示す図である。
図４（ｃ）は、逆流防止弁３を閉鎖したあと、スクリューを射出開始位置まで後退させたときの状態を表す。この状態でも、逆流防止弁３は閉鎖している。
図４（ｄ）は、図４（ｃ）に示す、スクリューを射出開始位置まで後退させ、逆流防止弁３が閉鎖した状態で、該射出開始位置から、スクリューを前進させて射出・保圧を実行しているときの状態を示している。以下、この図４（ａ）の状態から、図４（ｂ）に示すようにスクリュー前進させ、図４（ｃ）に示すようにスクリューを射出開始位置まで後退させるスクリュー前後進処理の工程を射出前スクリュー移動工程という。
【００３４】
以上のように、計量完了後、射出・保圧工程を実行する動作には、図３に示したように、計量工程完了後、逆流防止弁３が開いた状態で、射出・保圧工程を開始する方式と、図４に示すように、計量工程と射出工程の間に逆流防止弁３を閉鎖するためのスクリュー前進工程を設け、逆流防止弁３を閉鎖した状態で射出・保圧工程を開始する方式がある。
【００３５】
両方式とも、逆流防止弁３の閉鎖タイミングの変動によって、射出量、すなわち、金型に充填する樹脂量（重量）が変動することになり、この逆流防止弁３の閉鎖タイミングを精度高く検出することが望まれる。
【００３６】
そこで、本発明は、スクリューの回転力を検出し、この回転力がピークとなるタイミングを検出することによって、逆流防止弁３の閉鎖タイミングを検出するようにしたものである。
【００３７】
図５は、本発明における逆流防止弁閉鎖タイミングの検出についての説明図である。
図５において、横軸は、時間又は射出方向のスクリュー位置を表し、縦軸はスクリューに作用する回転力を示す。  
図５中、Ｓ点は、スクリューの前進開始点であり、このスクリューの前進開始と共に逆流防止弁とチェックシートの間隙から樹脂の逆流が始まるため、この樹脂の逆流によりスクリューの回転力が増大する。すなわち、図３（ｂ）に示す逆流防止弁が開いた状態で射出を開始すると共に樹脂の逆流が始まる。又、図４に示す方式では、図４（ａ）の状態から、射出前スクリュー移動工程を開始し、スクリューを前進させたとき、樹脂の逆流が始まり、この逆流した樹脂の圧力がスクリュー１のフライト５に作用してスクリュー１を回転させる回転力が発生する。
【００３８】
やがて、図３（ｃ）、図４（ｂ）に示すように、逆流防止弁が閉鎖すると逆流がなくなるために、回転力は減少に転じる。その結果、逆流防止弁が閉鎖した時点で、回転力はピーク値をとり（図中Ａ点）、このピーク値点が逆流防止弁閉鎖点を表す。また、図中のＢ点は射出・保圧の切換点を表している。Ａ点の座標を（Ａｘ，Ａｙ）とすると、Ａｘは閉鎖のタイミング（時間もしくは位置）を表し、Ａｘの時間もしくは位置のばらつきが十分小さいと仮定すると、Ａｙは簡易的に逆流量を示す指標となる。より正確な逆流量を把握するには、図６に示すように射出開始から逆流防止弁閉鎖点Ａまで回転力を積分（時間積分または位置積分）し、Ｅの面積を求めるとよい。すなわち、スクリュー前進開始時点（射出開始時点）から前記スクリューに作用する回転力ピーク時点までの前記回転力の時間積分値、又は、スクリュー前進開始時点（射出開始時点）から前記回転力ピーク時点までの前記回転力をスクリュー位置に関して積分した値を求めて、これらの値を逆流量を示す指標とする。又、この樹脂の逆流量は金型内に射出した樹脂の量に影響を与えるものであり、成形した成形品の品質を左右するファクターであることから、この回転力のピーク値Ａｙ、回転力の積分値は、成形品の良否判別や、成形条件の調整のための指標とすることができる。
【００３９】
又、スクリュー前進開始（射出開始）から、回転力のピーク値を検出した時点までのスクリュー移動距離は、樹脂の逆流が生じていた区間であり、このスクリュー移動距離も樹脂の逆流量を示すものであり、成形品の良否判別や、成形条件の調整のための指標とすることができる。さらには、スクリューの移動位置を示す座標系が設定されているものであるから、回転力のピーク値を検出したスクリュー位置も樹脂の逆流量を示す指標となり、成形品の良否判別や、成形条件の調整のための指標とすることができる。
【００４０】
同様に、スクリュー前進開始（射出開始）から、回転力のピーク値を検出した時点までの経過時間も樹脂の逆流量を示す指標となり、成形品の良否判別や、成形条件の調整のための指標とすることができる。
【００４１】
さらには、逆流防止弁が閉じるタイミングが早ければ（すなわち、逆流量が少なければ）、射出圧力は早く立ち上がり、逆流防止弁が閉じるタイミングが遅ければ（すなわち、逆流量が多ければ）、射出圧力の立ち上がりは遅くなる。このことから、所定のスクリュー位置における射出圧力、あるいはスクリュー前進開始から所定時間が経過した時点における射出圧力を樹脂の逆流量の指標とすることができる。
【００４２】
又、逆流防止弁の閉鎖タイミングが早ければ、スクリューの移動速度の立ち上がりも遅くなり、逆流防止弁の閉鎖タイミングが遅ければ、スクリューの移動速度の立ち上がりも早くなることから、スクリューの回転力ピークを検出した時点のスクリュー移動速度は、逆流量や金型内に充填する樹脂量を表す１つの指標とすることができ、成形品の良否判別や、成形条件調整のための指標とすることができる。
【００４３】
なお、本発明では、スクリューに作用する回転力のピークが発生した時点を「逆流防止弁が閉鎖したタイミング」と判別するが、この「逆流防止弁が閉鎖したタイミング」とは、逆流防止弁が物理的に閉鎖したタイミングだけを意味するのではない。
【００４４】
スクリューに作用する回転力は、上述のように、樹脂の逆流がなくなると増加から減少に転じるが、厳密な意味で樹脂の逆流が０になってから減少に転じるとは限らない。樹脂には粘性や圧縮性があり、さらに摩擦力も働くため、逆流防止弁が閉じていき逆流防止弁の隙間が十分に小さくなると、樹脂の逆流が厳密には０になっていなくても、逆流防止弁の前方の樹脂圧力が逆流防止弁の後方にあるスクリューのフライト部に伝わらなくなり、スクリューに作用する回転力が減少に転じることがあると考えられる。すなわち、逆流防止弁が閉じていき、逆流防止弁の隙間が十分に小さくなると、樹脂の逆流が厳密には０になっていなくても、スクリューに作用する回転力にピークが生じることがあると考えられる。このような場合に、本発明では、樹脂の逆流が厳密には０になっていなくても（逆流防止弁が物理的には閉鎖していなくても）、回転力にピークが生じた時点を「逆流防止弁が閉鎖したタイミング」と判別する。このような状況で本発明が「逆流防止弁が閉鎖した」と判別した時点では、樹脂の逆流が厳密には０になっていないが、上述のように、逆流防止弁の前方の樹脂圧力が逆流防止弁の後方に伝わらなくなる位に逆流防止弁の隙間は十分に小さくなっているため、実際の成形では、このような時点を「逆流防止弁が閉鎖した」と判別して問題ない。すなわち、スクリューに作用する回転力にピークが生じた時点とは、逆流防止弁が物理的に閉鎖したタイミングだけを意味するのではなく、実用上、逆流防止弁が閉鎖したと見なせるタイミングをも意味する。
【００４５】
以上のように、本発明において、「逆流防止弁が閉鎖したタイミングを検出する」とは、逆流防止弁が物理的に閉鎖したタイミングを検出することだけを意味するのではなく、実用上、逆流防止弁が閉鎖したと見なせるタイミングを検出することをも含んでいる。
【００４６】
図７は、本発明の一実施形態の要部ブロック図である。  
スクリュー１が挿入されたシリンダ７の先端には、ノズル９が装着され、シリンダ７の後端部には樹脂ペレットをシリンダ７内に供給するホッパ１５が取り付けられている。スクリュー１の先端には、逆流防止弁３，チェックシート４からなる逆流防止機構を備える。スクリュー１は計量用サーボモータ１０により伝動機構１２を介して回転駆動されるようになっており、さらに該スクリュー１は、射出用サーボモータ１１により伝動機構１３及びボールネジ／ナット等の回転運動を直線運動に変換する変換機構１４によって軸方向に駆動され射出及び背圧制御がなされるように構成されている。計量用サーボモータ１０、射出用サーボモータ１１にはその回転位置速度を検出する位置・速度検出器１６，１７が取り付けられており、この位置・速度検出器によって、スクリュー１の回転速度、スクリュー１の位置（スクリュー軸方向の位置）、移動速度（射出速度）を検出できるようにしている。又、スクリュー１に加わる溶融樹脂からの圧力を検出するロードセル等の圧力センサ１８が設けられている。
【００４７】
この射出成形機を制御する制御装置２０は、数値制御用のマイクロプロセッサであるＣＮＣＣＰＵ２２、プログラマブルマシンコントローラ用のマイクロプロセッサであるＰＭＣＣＰＵ２１、サーボ制御用のマイクロプロセッサであるサーボＣＰＵ２５とがバス３６で接続されている。
ＰＭＣＣＰＵ２１には射出成形機のシーケンス動作を制御するシーケンスプログラム等を記憶したＲＯＭ２６および演算データの一時記憶等に用いられるＲＡＭ２７が接続され、ＣＮＣＣＰＵ２２には、射出成形機を全体的に制御する自動運転プログラム等を記憶したＲＯＭ２８および演算データの一時記憶等に用いられるＲＡＭ２９が接続されている。
【００４８】
また、サーボＣＰＵ２５には、位置ループ、速度ループ、電流ループの処理を行うサーボ制御専用の制御プログラムを格納したＲＯＭ３１やデータの一時記憶に用いられるＲＡＭ３２が接続されている。更に、サーボＣＰＵ２５には、該ＣＰＵ２５からの指令に基いて、スクリュー回転用のサーボモータ１０を駆動するサーボアンプ３４や、スクリューを軸方向に駆動し射出等を行う射出用サーボモータ１１を駆動するサーボアンプ３５が接続され、各サーボモータ１０、１１には位置・速度検出器１６、１７がそれぞれ取り付けられており、これらから位置・速度検出器１６、１７からの出力がサーボＣＰＵ２５に帰還されるようになっている。サーボＣＰＵ２５は、ＣＮＣＣＰＵ２２から指令される各軸（スクリュー回転用サーボモータ１０又は射出用サーボモータ１１）への移動指令と位置・速度検出器１６、１７からフィードバックされる検出位置、速度に基づいて位置、速度のフィードバック制御を行うと共に、電流のフィードバック制御をも実行して、各サーボアンプ３４，３５を介して、各サーボモータ１０、１１を駆動制御する。又、少なくとも位置・速度検出器１７からフィードバックされたスクリュー回転用のサーボモータ１１の回転位置を記憶する現在値レジスタが設けられ、該サーボモータ１１の回転位置によって、スクリュー１の軸方向の位置（射出位置）を検出できるようにされている。
【００４９】
又、サーボＣＰＵ２５には、圧力センサ１８での検出信号をＡ／Ｄ変換器３３でデジタル信号に変換した検出樹脂圧力（スクリュー１にかかる樹脂圧力）が入力されている。
なお、型締機構やエジェクタ機構を駆動するサーボモータやサーボアンプ等も設けられているものであるが、これらのものは本願発明と直接関係していないことから、図７では省略している。
【００５０】
液晶やＣＲＴで構成される表示装置付き入力装置３０は表示回路２４を介してバス３６に接続されている。さらに、不揮発性メモリで構成される成形データ保存用ＲＡＭ２３もバス３６に接続され、この成形データ保存用ＲＡＭ２３には射出成形作業に関する成形条件と各種設定値，パラメータ，マクロ変数等を記憶する。
【００５１】
以上の構成により、ＰＭＣ用ＣＰＵ２１が射出成形機全体のシーケンス動作を制御し、ＣＮＣ用ＣＰＵ２２がＲＯＭ２８の運転プログラムや成形データ保存用ＲＡＭ２３に格納された成形条件等に基いて各軸のサーボモータに対して移動指令の分配を行い、サーボＣＰＵ２５は、各軸（スクリュー回転用サーボモータ１０や射出用サーボモータ１１等の各駆動軸のサーボモータ）に対して分配された移動指令と位置・速度検出器で検出された位置および速度のフィードバック信号等に基いて、従来と同様に位置ループ制御，速度ループ制御さらには電流ループ制御等のサーボ制御を行い、いわゆるディジタルサーボ処理を実行する。
【００５２】
上述した構成は従来の電動式射出成形機の制御装置と変わりはなく、従来の制御装置と異なる点は、計量工程終了後に、スクリューを前進させて、スクリューに加わる回転力のピーク値を検出し、このピーク値検出時点を逆流防止弁の閉鎖位置として検出する機能が付加されていること、さらには、こうして求めた逆流防止弁の閉鎖位置に基づいて、成形品の良否判別や成形条件の調整が行うようにした機能が付加されている点で相違するものである。
【００５３】
本実施形態では、スクリュー１の回転力を検出する検出手段として、スクリューを回転させる回転駆動手段としての計量用のサーボモータ１０が受けるスクリュー回転方向の負荷を、サーボＣＰＵ２５によって実施されるサーボモータ１０の駆動制御処理に組み込まれた外乱推定オブザーバによって検出するようにしている。なお、このオブザーバに代えて、サーボモータ１０の駆動電流を検出し、該駆動電流によってスクリュー１にかかる回転力を求めるようにしてもよい。さらには、スクリューに歪センサを設けてスクリューに作用する回転力を検出するようにしてもよい。
【００５４】
図８は、図３に示した射出・保圧工程のスクリュー前進時にスクリュー回転力のピーク値を検出し、該検出した回転力ピーク値、スクリュー位置、時間等によって成形品の良否判別や、射出保圧切換位置や射出速度切換位置等の成形条件の補正を行う処理のあるアルゴリズムを示すフローチャートであり、この実施形態では、ＰＭＣＣＰＵ２１がこの処理を実行する。又、この実施形態では、回転力ピーク値を検出したスクリュー位置に基づいて、射出保圧切換位置（ＶＰ切換位置）の補正量を求めてこの射出保圧切換位置（ＶＰ切換位置）を変更するようにしている。
【００５５】
本発明に関係して、成形条件として射出保圧切換位置（以下ＶＰ切換位置という）ＶＰ０を設定する。及び逆流防止弁が閉鎖するものと想定されるスクリュー位置を基準逆流防止弁閉鎖位置として設定する。基準逆流防止弁閉鎖位置は、射出成形を行い、良成形品が得られるとき、射出時のスクリュー回転力がピークとなるスクリュー位置とする。又は、良成形品が得られる時の複数の成形サイクルの射出時のスクリュー回転力がピークとなるスクリュー位置の平均値を基準逆流防止弁閉鎖位置として求めて設定する。
【００５６】
連続成形のためのサイクルスタート指令が入力されると、ＰＭＣＣＰＵ２１は図８に示す処理を開始する。
【００５７】
まず、ＶＰ切換位置の補正量ＶＰ１を記憶するレジスタを「０」にセットし（ステップ１００）、図示していない型締め用サーボモータを駆動制御し型閉じ工程を実行させる（ステップ１０１）。設定型締力が発生するまで金型が閉じられると、射出・保圧工程を開始させ、サーボＣＰＵ２５によりサーボアンプ３５を介して射出用サーボモータ１１を駆動制御し、スクリュー１を前進（図７中左方向）させ、シリンダ７内のスクリュー１の前方に溜まった溶融樹脂を金型内に射出させる。この射出・保圧工程の射出中、スクリュー回転力のピーク値を検出すると共に、この回転力ピーク値を検出した時点の物理量を検出し記憶する（ステップ１０３）。
【００５８】
この回転力ピーク値と、その時の物理量を検出し記憶するステップ１０３の処理を図９に示す。  
射出のためにスクリュー１を前進開始させると共に、スクリュー１の回転力の時間積分値Ａ（ｔ）、スクリュー位置に対する積分値Ａ（ｘ）を記憶する各レジスタに「０」を格納する（ステップ２００）。さらに、現在位置レジスタよりクリュー１の前進開始時のスクリュー位置ｘを読み取りレジスタＲ（ｘ）に格納すると共に、スクリュー回転用のサーボモータ１０が受ける回転力Ｔrqを記憶するレジスタＲ（Ｔrq）に「０」を格納する（ステップ２０１）。さらに、スクリュー前進開始からの経過時間を計時するタイマーをスタートさせる（ステップ２０２）。
【００５９】
そして、現在位置レジスタに記憶されているスクリュー位置（射出用サーボモータの回転位置）ｘを求めると共に、外乱推定オブザーバで求められるスクリュー回転力Ｔrqを求め（ステップ２０３）、検出したスクリュー位置ｘからレジスタＲ（ｘ）に記憶する前サンプリング時における位置（最初は「ｘ０」）を減じて、サンプリング周期毎のスクリュー移動量δｘを求める（ステップ２０４）。
【００６０】
次に、ステップ２０３で求めたスクリュー回転力ＴrqからレジスタＲ（Ｔrq）に記憶する前サンプリング時におけるスクリュー回転力（最初は「０」）を減じた値が負か判断する（ステップ２０５）。射出開始時には、前述したように、樹脂が逆流し、この樹脂の逆流によりスクリュー１には回転力が加わることにより、外乱推定オブザーバで求められるスクリュー回転力Ｔrqは図５、図６に示すように増大する。よって、最初は、ステップ２０５での判断では、「Ｎｏ」となる。そこで、ステップ２０３で求めたスクリュー位置ｘが設定されている射出保圧切換位置ＶＰ０を達したか判断し（ステップ２０６）、達していなければ、スクリュー１の回転力の時間積分値Ａ（ｔ）を記憶するレジスタに、ステップ２０３で検出したスクリュー回転力Ｔrqにサンプリング周期δｔをかけた値を加算することで積算し、スクリュー１の回転力の時間積分値Ａ（ｔ）を求め、さらに、スクリュー位置に対する積分値Ａ（ｘ）を記憶するレジスタに、検出したスクリュー回転力Ｔrqにステップ２０４で求めたサンプリング周期における移動量δｘをかけた値を加算して積算し、スクリュー１の回転力の位置積分値Ａ（ｘ）を求め、更新する（ステップ２０７）。
【００６１】
さらに、ステップ２０３で求めたスクリュー回転力Ｔrq、スクリュー位置ｘを、それぞれスクリュー回転力Ｔrqを記憶するレジスタＲ（Ｔrq）、スクリュー位置ｘを記憶するレジスタＲ（ｘ）に格納し（ステップ２０８）、ステップ２０３に戻る。以下、ステップ２０５で「Ｎｏ」と判断され、スクリュー位置ｘがスクリュー設定されている射出保圧切換位置ＶＰ０に達していない状態では、ステップ２０３〜２０８の処理をサンプリング周期毎実行する。
【００６２】
スクリューが前進し、前述したように樹脂が逆流し、図５，図６に示すように、スクリュー回転力Ｔrqが上昇する。そして、逆流防止弁３が閉じることによって、スクリュー回転力Ｔrqは減少することになる。そのため、ステップ２０５で、当該サンプリング時に検出したスクリュー回転力Ｔrqから、１つ前のサンプリング時に検出しレジスタＲ（Ｔrq）に記憶するスクリュー回転力を減じた値が負となる。これによって、スクリュー回転力Ｔrqはピークに達したと判別し（ステップ２０５）、このピーク値を検出した時点での物理量を取得する。そこで、ステップ２０５で、Ｔrq−Ｒ（Ｔrq）＜０と判断されたとき、物理量を読み取り記憶する。
【００６３】
すなわち、タイマの計時時間ｔ、圧力センサ１８で検出される射出圧力Ｐ、位置・速度検出器１７からフィードバックされるスクリュー移動速度Ｖを読み取り、この読み取った時間ｔ、射出圧力Ｐ、スクリュー移動速度Ｖをピーク時の経過時間ｔ、樹脂圧力Ｐ、スクリュー移動速度Ｖとする。なお、ステップ２０５でＹｅｓとなったときには、すでにピーク値を超えたときであるので、タイマから読み取った経過時間ｔから、１サンプリング周期δｔだけ減じた時間をピーク時点までの経過時間としてもよい。又、射出圧力やスクリュー移動速度も、ステップ２０３で各周期毎求め、ステップ２０８でレジスタに記憶しておき、ステップ２０５でＹｅｓと判断されたときは、このレジスタに記憶する射出圧力、スクリュー移動速度をピーク時の射出圧力、スクリュー移動速度としてもよい。
【００６４】
さらに、レジスタＲ（Ｔrq）に記憶するスクリュー回転力Ｔrq、レジスタに記憶するスクリュー回転力の時間積分値Ａ（ｔ）、位置積分値Ａ（ｘ）、レジスタＲ（ｘ）に記憶するピーク時点までのスクリュー位置、該レジスタＲ（ｘ）に記憶するスクリュー位置からスクリュー前進開始位置ｘ０を減じたスクリュー前進開始からスクリュー回転力ピーク時までの移動距離Ｌを、スクリュー回転力ピーク時の物理量として記憶する（ステップ２０８）。  
又、スクリュー回転力のピーク値が検出されることなく、ステップ２０３で検出されたスクリュー位置ｘが設定されている射出保圧切換位置ＶＰ０に達したと判断されたときには（ステップ２０６）、ピーク値なしを記憶し（ステップ２１０）、このピーク値、物理量検出処理を終了する。
【００６５】
こうして、スクリュー回転力ピーク時の物理量が記憶されるか、又はピーク値なしが記憶されると、図８のメイン処理に戻り、求めたスクリュー回転力ピーク時のスクリュー位置と設定されている基準逆流防止弁閉鎖位置との差をＶＰ切換位置の補正量ＶＰ１として求める（ステップ１０４）。なお、ピーク値なしの場合には、この補正量ＶＰ１として「０」が記憶される。
【００６６】
この求められた補正量ＶＰ１を設定されたＶＰ切換位置ＶＰ０に加算し、補正されたＶＰ切換位置を求める（ステップ１０５）。なお、補正量を求めるとき、係数を定めておき、（差分×係数）を補正量ＶＰ１として射出保圧切換位置を補正してもよい。さらに、補正量に上限と下限（負の場合もある）を設けておいて、補正量が上限を上回ったり下限を下回ったりしないようにしてもよい。  
こうして求めた補正されたＶＰ切換位置にスクリューが達するまで射出が行われると、射出工程から保圧工程に移行する（ステップ１０６、１０７）。
【００６７】
保圧工程の処理を行うと共に（ステップ１０７）、求めたピーク時点での物理量に基づいて、成形品の良否判別を行い、良否判別信号を出力する（ステップ１０８）。なお、この成形品の良否判別については、後述するが、ピーク値が検出されなかったときには、成形品の良否判別処理は行わず成形中止等の信号を出力する。
【００６８】
保圧工程が終了すると、計量工程を開始し、従来と同様の計量工程の処理を行い、計量工程が終了すると（ステップ１０９、１１０）、この実施形態では、スクリューを所定量逆回転させ（ステップ１１１）、その後サックバック処理を行い（ステップ１１２）、金型を開き成形品を取り出す（ステップ１１３，１１４）。
この成形品を取り出す際、ステップ１０８に判別した良否判断に基づいて、良成形品と不良品とは区別して取り出される。表示装置／入力装置３０の表示画面に求めた物理量を表示し（ステップ１１５）、１成形サイクルは終了し、ステップ１０１に戻り次の成形サイクルを実行する。  
なお、ステップ１１１のスクリュー逆回転処理、ステップ１１２のサックバック処理は実行しない場合もあり、必ずしも必要とする処理ではない。
【００６９】
以上の通り、この実施形態では、逆流防止弁の閉鎖時（スクリュー回転力ピーク時）のスクリュー位置に基づいて成形条件の射出保圧切換位置が、ステップ１０５で補正され、また、この逆流防止弁の閉鎖時（スクリュー回転力ピーク時）に検出される各種物理量に基づいて、ステップ１０８で成形品の良否判別が行われる。
【００７０】
このステップ１０８で行われる成形品の良否判別について、以下説明する。  
良否判別を行なう項目は、例えば、
・逆流防止弁の閉鎖タイミング（スクリュー回転力のピーク時）でのスクリュー位置ｘ
・逆流防止弁の閉鎖タイミングでのスクリュー移動開始からのスクリューの移動距離Ｌ
・逆流防止弁の閉鎖タイミングにおけるスクリュー移動射出開始時点からの経過時間ｔ
・逆流防止弁の閉鎖タイミングにおける射出圧力Ｐ
・逆流防止弁の閉鎖タイミングにおけるスクリューの移動速度（射出速度）Ｖ
・逆流防止弁の閉鎖タイミングにおけるスクリュー回転力Ｔrqのピーク値
・スクリュー移動開始から逆流防止弁の閉鎖タイミングまでのスクリュー回転力の時間積分値Ａ（ｔ）
・スクリュー移動開始から逆流防止弁の閉鎖タイミングまでスクリュー回転力をスクリュー位置に関して積分した値Ａ（ｘ）
などであり、これらの値を基準値と比較して良否判別を行なう。２以上の項目を併用して良否判別を行なってもよい。
【００７１】
逆流防止弁の閉鎖タイミングにおけるスクリュー位置ｘや射出開始からのスクリューの移動距離Ｌや経過時間ｔは、スクリューが前進開始から樹脂の逆流が発生しているスクリューの移動距離を示す値であることから、成形品の良否判別の項目となる。また、逆流防止弁の閉鎖タイミングにおけるスクリュー回転力のピーク値Ｔrq、該回転力の時間積分値Ａ（ｔ）、位置積分値Ａ（ｘ）も前述したように、樹脂の逆流量を示すものであることから、成形品の良否判別の項目となる。さらに、前述したように、逆流防止弁の閉鎖タイミングにおける射出圧力Ｐ、スクリューの移動速度Ｖも樹脂の逆流量の指標となることから、成形品の良否判別の項目となる。
【００７２】
図９に示した実施形態では、上述した物理量を全て求める例を記載しているが、成形品の良否判別に必要な物理量だけ求めて記憶するようにしてよいものである。  
例えば、逆流防止弁の閉鎖タイミング（スクリュー回転力のピーク時）のスクリュー位置ｘに基づいて、成形品の良否判別を行うものであれば、図９のステップ２００、２０２、２０６の処理は必要がなく、ステップ２０８で求め、記憶する物理量も、レジスタＲ（ｘ）に記憶するピーク時のスクリュー位置ｘのみでよいことになる。又、ステップ１０８での処理は、この求めたピーク時のスクリュー位置ｘに基づいて、例えば、該スクリュー位置ｘが設定許容範囲内か否かによって良否判別がなされることになる。
【００７３】
すなわち、図９では、成形品の良否判別に用いる可能性のある物理量を全て求めるように記載しているが、成形条件（射出保圧切り換え位置）の補正に用いる物理量（ピーク時のスクリュー位置）と良否判別に利用するピーク時の物理量だけを検出し記憶するようにすればよいものである。そして、この検出した物理量と設定されている許容範囲とを比較し良否判別を行う。
【００７４】
さらには、この成形品判別としては、
●逆流防止弁の閉鎖タイミング（ピーク時点）のスクリュー位置ｘから保圧完了時点までのスクリューの移動距離（このスクリュー移動距離は、金型に充填される樹脂量、成形品の重量を示す指標であり、成形品の品質を表す指標となる）、
●逆流防止弁の閉鎖タイミングから射出・保圧切換時点までのスクリューの移動距離（このスクリュー移動距離は、金型に充填される樹脂量、成形品の重量を示す指標であり、成形品の品質を表す指標となる）、
●逆流防止弁の閉鎖タイミング（ピーク時点）のスクリュー位置ｘから射出保圧工程においてスクリューが最も前進した時点までのスクリューの移動距離（逆流防止弁の閉鎖タイミングにおけるスクリュー位置ｘと射出保圧工程においてスクリューが最も前進した位置との差の距離であり、このスクリュー移動距離も、金型に充填される樹脂量、成形品の重量を示す指標であり、成形品の品質を表す指標となる。）、
などで良否判別を行なうこともできる。
【００７５】
また、逆流防止弁の閉鎖タイミングにおけるスクリュー位置を基準スクリュー位置として設定し、この基準スクリュー位置から所定距離だけ離れたスクリュー位置を第２の基準スクリュー位置、第３の基準スクリュー位置などとして、１ないし複数個所設定し、射出中のスクリュー位置がこれら第２の基準スクリュー位置や第３の基準スクリュー位置などに達した時の射出圧力で良否判別を行なうこともできる。なお、この場合、基準スクリュー位置を射出開始からのスクリューの移動距離で設定し（基準スクリュー移動距離とする）、射出開始時点からのスクリューの移動距離位置が基準スクリュー移動距離に達した時の射出圧力を検出して良否判別を行なってもよい。この場合、図９で示す物理量を求める処理では、射出開始後、設定したスクリュー位置又はスクリュー移動距離毎に射出圧力を検出し記憶するようにする必要がある。
【００７６】
又、同様に、逆流防止弁の閉鎖タイミングにおける射出開始時点からの経過時間を基準射出経過時間として設定し、基準射出経過時間を設定した以降の成形サイクルにおいて、射出開始時点からの経過時間が基準射出経過時間になった時の射出圧力を検出し、この射出圧力で良否判別を行なうこともできる。この場合も、この基準射出経過時間から所定時間だけ経過した時点を第２の基準射出経過時間、第３の基準射出経過時間などとして、１ないし複数個所設定し、射出開始時点からの経過時間がこれら第２の基準射出経過時間や第３の基準射出経過時間などに達した時の射出圧力で良否判別を行なうこともできる。
【００７７】
上述した基準スクリュー位置、基準射出経過時間には、例えば、良品が成形された成形サイクルなどの特定の成形サイクルにおける逆流防止弁の閉鎖タイミングにおけるスクリュー位置、射出開始時点からの経過時間を設定することができる。また、過去の所定成形サイクル分の逆流防止弁の閉鎖タイミングにおけるスクリュー位置、射出開始時点からの経過時間に対して統計的処理を行ない、平均値や中央値や最頻値などの代表値を求め、求めた代表値を基準逆流防止弁閉鎖位置（あるいは基準射出保圧切換移動距離）に設定してもよい。
【００７８】
さらに、逆流防止弁の閉鎖タイミング（ピーク時点）の射出圧力、スクリュー移動速度も、前述したように、樹脂の逆流量、金型への充填量をあらわす指標とすることができ、射出圧力Ｐ、射出速度Ｖによって、成形品の良否を判別できる。
【００７９】
図１０は、本発明の第２の実施形態の成形サイクルの処理フローチャートであり、図４に示した計量工程と射出・保圧工程の間にスクリューを移動させる射出前スクリュー移動工程が付加されたときの成形サイクルに本発明を適用したときの成形サイクル処理である。
まず、本実施形態に関係して、成形条件として、射出前スクリュー移動工程におけるスクリューを前進させる前進圧力（スクリューを前進させる力）、射出保圧切換位置（ＶＰ切換位置という）ＶＰ０、逆流防止弁が閉鎖するものと想定されるスクリュー位置を基準逆流防止弁閉鎖位置として設定する。基準逆流防止弁閉鎖位置は、射出成形を行い、良成形品が得られた成形サイクルの直前の成形サイクルにおける、射出前スクリュー移動時のスクリュー回転力がピークとなるスクリュー位置とする。又は、良成形品が得られる時の複数の成形サイクルの射出前スクリュー移動時のスクリュー回転力がピークとなるスクリュー位置の平均値を基準逆流防止弁閉鎖位置として求めて設定する。
【００８０】
連続成形のためのサイクルスタート指令が入力されると、ＰＭＣＣＰＵ２１は図１０に示す処理を開始する。
【００８１】
まず、射出前スクリュー移動工程（第１のスクリュー前進）によって求められた物理量によるＶＰ切換位置（射出保圧切換位置）の補正量ＶＰ１を記憶するレジスタ、及び射出・保圧工程（第２のスクリュー前進）によって求められた物理量によるＶＰ切換位置の補正量ＶＰ２を記憶するレジスタをそれぞれ「０」にセットし（ステップ３００）、図示していない、型締用サーボモータを駆動制御し型閉じ工程を実行させる（ステップ３０１）。設定型締力が発生するまで金型が閉じられると、射出・保圧工程を開始させ、サーボＣＰＵ２５によりサーボアンプ３５を介して射出用サーボモータ１１を駆動制御し、スクリュー１を前進（図７中左方向）させ、シリンダ７内のスクリュー１の前方に溜まった溶融樹脂を金型内に射出させる。この射出・保圧工程の射出後退中、回転力ピーク値を検出すると共に、この回転力ピーク値を検出した時点の物理量（この物理量を物理量２という）を検出し記憶する（ステップ３０３）。
【００８２】
この回転力ピーク値と、その時の物理量を検出し記憶するステップ３０３の処理は、先の第１の実施形態と同じであり、図９に示す処理を実行することになる。ただし、この射出・保圧工程中に求められたスクリュー回転力のピーク値、該ピーク値が得られた時点での各種物理量は射出・保圧工程時の物理量２として記憶される。
【００８３】
図９に示す処理によって、スクリュー回転力ピーク時の物理量２、及びピーク値が検出されないときには、ピーク値なしの情報が記憶される。この求めたスクリュー回転力ピーク時のスクリュー位置と設定されている基準逆流防止弁閉鎖位置との差をＶＰ切換位置の補正量ＶＰ２として求める（ステップ３０４）。なお、ピーク値がないときには補正量ＶＰ２は「０」が記憶される。
【００８４】
射出・保圧工程において、回転力のピーク値が求められているときには、射出保圧切換位置の補正量ＶＰ３として、この射出・保圧工程で求めた補正量ＶＰ２を用いる。又、射出・保圧工程でピーク値が求められず、補正量ＶＰ２が「０」のときには、後述する射出前スクリュー移動工程で求めた補正量ＶＰ１を射出保圧切換位置の補正量ＶＰ３とする。又、射出・保圧工程でも射出前スクリュー移動工程でもピーク値が求められず、補正量ＶＰ１＝ＶＰ２＝０のときは、補正量ＶＰ３も「０」を設定する（ステップ３０５）。
【００８５】
この求められた補正量ＶＰ３を設定されたＶＰ切換位置ＶＰ０に加算し、補正されたＶＰ切換位置を求める（ステップ３０６）。求めた補正されたＶＰ切換位置にスクリューが達するまで射出が行われると、射出工程から保圧工程に移行する（ステップ３０７、３０８）。
【００８６】
保圧工程の処理を行うと共に（ステップ３０８）、ステップ３０５で補正量ＶＰ３に採用した工程（射出・保圧工程又は射出前スクリュー移動工程）側の物理量１又は物理量２に基づいて良否判別の処理を行う（ステップ３０９）。この良否判別処理は第１の実施形態と同じ処理である。
【００８７】
なお、射出・保圧工程及び射出前スクリュー移動工程でピーク値が検出されなかったときには、成形品の良否判別処理は行わず成形中止等の信号を出力する。
【００８８】
保圧工程が終了すると、計量工程を開始し、従来と同様の計量工程の処理を行い、計量工程が終了すると（ステップ３１０、３１１）、この実施形態では、スクリューを所定量逆回転させ、第１のスクリュー逆回転を行い、逆流防止弁３の閉鎖を容易にする（ステップ３１２）、その後、第１のサックバック処理を行う（ステップ３１３）。このステップ３１２、３１３の処理は、必ずしも必要ではなく、この２つの処理は省略してもよい。
【００８９】
次に、射出用サーボモータ１１を所定圧力（所定トルク）で駆動し、スクリューを前進させる射出前スクリュー移動工程のスクリュー前進処理を行う。圧力センサ１８で所定設定圧力に達し、スクリューの移動が停止するまで、この移動を行う（ステップ３１４）。この射出前スクリュー移動工程でのスクリュー前進中にスクリュー回転力ピーク値及び物理量を検出する処理を実行する（ステップ３１５）。この処理は図９に示したピーク値、物理量検出処理とほぼ同じであるが、ステップ２０６の判断処理が、圧力センサ１８で検出される圧力が設定圧力に達したか判断する処理に変わる。もしくは、圧力センサ１８で検出される圧力が設定された所定圧力に達したときは、この設定所定圧力のトルク指令で駆動される射出用サーボモータの移動は停止することになるから、スクリューの移動が停止したかの判断をこのステップ２０６でするようにしてもよい。
【００９０】
すなわち、射出前スクリュー移動工程におけるスクリュー前進時においても、樹脂の逆流によって発生するスクリュー回転力を検出しそのピーク値を求め、ピーク値が求められた時点の各物理量を求め記憶する。また、前述したように、圧力センサ１８で検出される圧力が、スクリューを前進させる圧力（トルク指令）に達したと判断されたとき、又は、スクリューの前進が停止したと判断されたときには、ピーク値なしが記憶されることになる。
【００９１】
この求めたスクリュー回転力ピーク時のスクリュー位置と設定されている基準逆流防止弁閉鎖位置との差を射出前スクリュー移動工程でのＶＰ切換位置の補正量ＶＰ１として求める（ステップ３１６）。なお、ピーク値がないときには補正量ＶＰ１は「０」が記憶される。
【００９２】
射出前スクリュー移動工程のスクリュー前進が終わると（ステップ３１７）、スクリューを所定量逆回転させる第２のスクリュー逆回転を行い（ステップ３１８）、第２のサックバックを行う（ステップ３１９）。このステップ３１８、３１９の第２のスクリュー逆回転と第２のサックバック処理は、射出保圧工程において、射出開始時に逆流防止弁３の閉鎖をより容易にすることを目的とするものであり、このステップ３１８、３１９は必ずしも設けなくてもよいものである。
【００９３】
そして、金型を開き成形品を取り出す（ステップ３２０、３２１）。
この成形品を取り出す際、ステップ３０９に判別した良否判断に基づいて、良成形品と不良品とは区別して取り出される。又、表示装置／入力装置３０の表示画面に、求めた射出前スクリュー移動工程、射出保圧工程での物理量１、２を表示し（ステップ３２２）、１成形サイクルは終了し、ステップ３０１に戻り次の成形サイクルを実行する。  
この図１０で示した第２の実施形態では、射出前スクリュー移動工程において、及び、射出保圧工程において、逆流する樹脂によりスクリューにかかる回転力のピーク値を検出し、その時の物理量１、２を求め、この求めた物理量１、２によって、ＶＰ切換位置の補正、成形品良否判別を行うようにしたが、射出保圧工程でのピーク値、物理量検出は行わず、射出前スクリュー移動工程で、スクリュー回転力のピーク値の検出及び物理量の検出を行い、この検出した物理量に基づいて、ＶＰ切換位置の補正、成形品良否判別を行うようにしてもよい。この場合には、ステップ３０３、３０４、３０５の処理は必要がなく、ステップ３０６の処理が「ＶＰ切換位置＝ＶＰ０＋ＶＰ１」となり、射出前スクリュー移動工程で求められたピーク時のスクリュー位置より算出される補正量ＶＰ１によって、ＶＰ切換位置が求められることになる。又、ステップ３０９での成形品の良否判別処理が射出前スクリュー移動工程で求められる物理量１によって判別されることになる。さらに、ステップ３２２で表示する情報も、射出前スクリュー移動工程で求められる物理量１だけが表示されることになる点で相違する。
【００９４】
上述した各実施形態では、射出保圧切換位置をスクリュー位置（絶対位置）で設定し、該位置を補正するようにしたが、射出開始からのスクリューの移動距離で設定してもよく、その場合も同様に、スクリュー回転力ピーク時のスクリュー位置と設定されている基準逆流防止弁閉鎖位置との差分あるいは（差分×係数）だけ、射出制御から保圧制御に切り換えるスクリュー移動距離を補正するようにすることができる。
【００９５】
また、基準逆流防止弁閉鎖位置もスクリュー位置ではなく、射出開始からのスクリューの移動距離で設定してもよい（基準逆流防止弁閉鎖移動距離とする）。この場合、基準逆流防止弁閉鎖移動距離と逆流防止弁の閉鎖タイミングにおける射出開始からのスクリューの移動距離との差分あるいは（差分×係数）だけ射出保圧切換位置を補正することになる。
【００９６】
なお、上述した基準逆流防止弁閉鎖位置（あるいは基準逆流防止弁閉鎖移動距離位置）は、良品が成形された成形サイクルなどの特定の成形サイクルにおける逆流防止弁の閉鎖タイミングのスクリュー位置（あるいはスクリューの移動距離）を求めて、これを設定するようにすればよい。また、過去の所定成形サイクル分の逆流防止弁の閉鎖タイミングにおけるスクリュー位置（あるいはスクリューの移動距離）に対して統計的処理を行ない、平均値や中央値や最頻値などの代表値を求め、求めた代表値を基準逆流防止弁閉鎖位置（あるいは基準射出保圧切換移動距離）に設定してもよい。
【００９７】
また、上述した各実施形態では、検出した逆流防止弁の閉鎖タイミング（閉鎖スクリュー位置、移動距離）に基づいて射出保圧切換位置（または射出保圧切換移動距離）を補正する例を述べたが、射出保圧工程の射出制御での射出速度の切換位置を、この検出した逆流防止弁の閉鎖タイミング（閉鎖スクリュー位置、移動距離）に基づいて補正することによって、より良成形品が得られる射出制御にすることもできる。また、射出保圧切換位置の補正に付加して、射出速度切換位置の補正を行うようにしてもよいものである。
【００９８】
この射出速度切換位置を補正する場合は、上述した各実施形態の、図８のステップ１０４、１０５または図１０のステップ３０４〜３０６に記載された射出保圧切換位置の補正のように、例えば、射出速度切換位置を補正するための基準射出速度切換位置を設定し、この基準射出速度切換位置と逆流防止弁の閉鎖タイミングにおけるスクリュー位置との差を求め、この差分を補正量として射出速度切換位置を補正することができる。この場合も、係数を定めておき、（差分×係数）を補正量として射出速度切換位置を補正してもよい。また、補正量に上限と下限（負の場合もある）を設けておいて、補正量が上限を上回ったり下限を下回ったりしないようにしてもよい。
【００９９】
射出速度切換位置は、複数個所設定される場合があるが、全ての個所の射出速度切換位置を補正してもよいし、一部の個所（例えば、最終の射出速度切換位置）を補正するようにしてもよい。
【０１００】
この射出速度切換位置の補正は、逆流防止弁の閉鎖が検出された後に行なわれる射出速度の切換に適用することができる。すなわち、通常の射出保圧工程では、逆流防止弁の閉鎖の方が射出速度の切換よりもタイミングが早いため、逆流防止弁の閉鎖タイミングにおけるスクリュー位置と基準射出速度切換位置との差から補正値を求めた後、同じ成形サイクルで射出速度切換位置を補正することができる。例えば、逆流防止弁の閉鎖タイミングと射出速度切換が、逆流防止弁の閉鎖、１速から２速への切換、２速から３速への切換という順であった場合は、逆流防止弁の閉鎖タイミングで求めた補正値で１速から２速への切換位置と２速から３速への切換位置とを補正することができる。また、逆流防止弁の閉鎖タイミングと射出速度切換が、１速から２速への切換、逆流防止弁の閉鎖、２速から３速への切換という順であった場合は、逆流防止弁の閉鎖タイミングで求めた補正値で２速から３速への切換位置を補正することができる。
【０１０１】
また、この射出速度切換位置の補正も、計量完了後、射出開始前に行なわれる射出前スクリュー移動工程において逆流防止弁の閉鎖タイミングにおけるスクリュー位置を検出して射出速度切換位置の補正値を求めてもよい。この場合、計量完了後、射出開始前に行なわれるスクリュー前進工程において逆流防止弁の閉鎖タイミングにおけるスクリュー位置を検出し、検出した逆流防止弁の閉鎖タイミングにおけるスクリュー位置と基準射出速度切換位置との差を求め、差分あるいは（差分×係数）だけ射出速度切換位置を補正し、引き続く射出保圧工程では、この補正された射出速度切換位置で射出速度の切換を行なう。
【０１０２】
さらに、この射出速度切換位置もスクリュー位置ではなく、射出開始からのスクリューの移動距離で設定し、補正もスクリュー回転力ピーク時のスクリュー位置と設定されている基準逆流防止弁閉鎖位置との差分あるいは（差分×係数）だけ補正しても良い。
【０１０３】
なお、基準射出速度切換位置（あるいは基準射出速度切換移動距離）には、良品が成形された成形サイクルなどの特定の成形サイクルにおける逆流防止弁の閉鎖タイミングのスクリュー位置（あるいはスクリューの移動距離）を設定することができる。また、過去の所定成形サイクル分の逆流防止弁の閉鎖タイミングにおけるスクリュー位置（あるいはスクリューの移動距離）に対して統計的処理を行ない、平均値や中央値や最頻値などの代表値を求め、求めた代表値を基準射出速度切換位置（あるいは基準射出速度切換移動距離）に設定することもできる。
【０１０４】
上述した各実施形態では、電動式射出成形機の例を述べ、スクリューを回転させるスクリュー回転手段として電動サーボモータの例を記載したが、電動サーボモータ以外に、例えば、電動モータ・油圧モータなどを用いることができる。また、本発明において、スクリューを前進させる際は、スクリューの回転を阻止してもよいし、スクリューを所定の回転速度で回転させてもよい。スクリューを所定の回転速度で回転させる場合、その回転方向はどちらでもよい。スクリューの回転を阻止するには、例えば、スクリューを回転させる回転駆動手段が電動サーボモータの場合は、電動サーボモータを位置決め状態として回転位置を保持することができ、回転駆動手段が油圧モータの場合は、油圧モータの油路を閉鎖して回転位置を保持することができる。また、スクリューの回転を阻止するのに、ブレーキや一方向クラッチなどを用いることもできる。
【０１０５】
また、スクリューの回転力を検出する手段として、上述した実施形態では、外乱推定オブザーバを用い、該オブザーバで求めた負荷トルクよりこのスクリュー回転力を求めたが、スクリュー回転用モータの駆動電流に基いてスクリュー回転力を求めてもよい。又、スクリューの回転をブレーキ手段で阻止する場合は、スクリューに設けた歪センサで検出するようにする。
【図面の簡単な説明】
【０１０６】
【図１】スクリュー先端に設けられる逆流防止弁機構の一例の説明図である。
【図２】スクリュー前進中に樹脂の逆流が発生したときのスクリューにかかる力の説明図である。
【図３】計量工程後、射出保圧工程を実行するときの、逆流防止弁機構の動作状態説明図である。
【図４】計量工程と射出保圧工程の間にスクリュー前進工程が付加されたときの、逆流防止弁機構の動作状態説明図である。
【図５】逆流防止弁の閉鎖タイミングを説明する説明図である。
【図６】樹脂の逆流量の指標を求める回転力の積分値の説明図である。
【図７】本発明の実施形態の要部ブロック図である。
【図８】本発明の第１の実施形態の連続成形サイクルの処理アルゴリズムを示すフローチャートである。
【図９】スクリュー前進時のスクリュー回転力のピーク値、物理量検出処理のアルゴリズムを示すフローチャートである。
【図１０】本発明の第２の実施形態の連続成形サイクルの処理アルゴリズムを示すフローチャートである。
【符号の説明】
【０１０７】
１  スクリュー
２  スクリューヘッド
３  逆流防止弁
４  チェックシート
５  フライト
６  溝部
７  シリンダ
２０  制御装置
【図１】
2008155379.tif 000003
【図２】
2008155379.tif 000004
【図３】
2008155379.tif 000005
【図４】
2008155379.tif 000006
【図５】
2008155379.tif 000007
【図６】
2008155379.tif 000008
【図７】
2008155379.tif 000009
【図８】
2008155379.tif 000010
【図９】
2008155379.tif 000011
【図１０】
2008155379.tif 000012